(57)【特許請求の範囲】
【請求項１】
取付受け部および複数の位置決め受け部を有する被取付体の前記取付受け部に取付けられる端子台であって、前記取付受け部に取付ける取付部を有するとともに電線挿入穴を有するハウジングと、前記ハウジング内に設けられて前記電線挿入穴より挿入された電線を速結結線する速結端子と、前記速結端子に接続されて前記ハウジングより一部が露出して前記被取付体に固定されたコネクタに圧接接続する刃形端子とを備え、前記ハウジングは前記刃形端子を前記コネクタに圧接接続できるように前記位置決め受け部に位置決めする複数の位置決め部を有し、前記位置決め部と前記位置決め受け部とは、前記刃形端子が前記コネクタに圧接する前に前記位置決め部が前記位置決め受け部に位置決めされるように設定されている端子台。
【請求項２】
前記位置決め受け部はピンであり、前記位置決め部は前記ピンが嵌合する位置決め用穴である請求項１記載の端子台。
【請求項３】
前記位置決め用穴が前記端子台のねじ取付用穴を兼用した請求項２記載の端子台。
【請求項４】
前記位置決め部は突起であり、前記位置決め受け部は前記突起が嵌合する凹部である請求項１記載の端子台。
【請求項５】
前記速結端子および前記刃形端子は１枚の導電板に略直線状に一体形成されている請求項１から請求項４のいずれか一項記載の端子台。
【発明の詳細な説明】
【技術分野】
【０００１】
この発明は、例えば誘導灯照明器具または非常灯照明器具に内蔵する電子回路に電源を接続するための電源端子台などの端子台に関するものである。
【背景技術】
【０００２】
従来のこの種の電源端子台を用いた照明器具として、安定器などを有する点灯回路部と、この点灯回路部にリード線で接続された電源端子台とを備えている。電源端子台には速結端子などの端子装置を設け、これに電源線を速結接続して点灯回路部に給電する（例えば特許文献１参照）。
【０００３】
しかし、電源端子台は結線作業時に大きな外力が加わるおそれのある電源線を接続するものであるが、通常器具側の接続には器具内用の柔らかい電線が使われていることが多かった。また器具側の結線のため複数の電線を接続せねばならず、器具組立作業に時間がかかり、特に誘導灯照明器具においては小型、薄型のものがあり、このような器具においては結線のための作業スペースが小さく、一段と作業がしづらいという問題があった。
【０００４】
また器具の点灯のための電子回路に直接接続するための電源端子台においては、プリント基板に直接半田付けを行うものがあった。しかし、電源電線の接続は器具の取付時などに行われ電気工事業者などが行うため、おおきな外力が加わることがあるので電源端子台の強固の取付けがされていないと半田付け部にクラックが生じてしまうなど、取り扱いしにくい問題があった。
【０００５】
さらに端子台に設けたジャック部をタブ端子に差し込むことにより接続するものがあった（例えば特許文献２参照）。  
【特許文献１】特開２０００−２４３４７８号公報
【特許文献２】特開平９−２４５８６２号公報
【発明の開示】
【発明が解決しようとする課題】
【０００６】
しかし、ジャック部をタブ端子に差し込む作業が煩雑であり、ジャック部数が多くなるほどこれが著しくなる。
【０００７】
したがって、この発明の目的は、点灯回路部との結線作業が容易でしかも確実に接続することができる端子台を提供することである。
【課題を解決するための手段】
【０００８】
この発明の端子台は、取付受け部および複数の位置決め受け部を有する被取付体の前記取付受け部に取付けられる。ハウジングは前記取付受け部に取付ける取付部を有するとともに電線挿入穴を有する。速結端子は前記ハウジング内に設けられて前記電線挿入穴より挿入された電線を速結結線する。刃形端子は前記速結端子に接続されて前記ハウジングより一部が露出して前記被取付体に固定されたコネクタに圧接接続する。前記ハウジングは前記刃形端子を前記コネクタに圧接接続できるように前記位置決め受け部に位置決めする複数の位置決め部を有する。前記位置決め部と前記位置決め受け部とは、前記刃形端子が前記コネクタに圧接する前に前記位置決め部が前記位置決め受け部に位置決めされるように設定されている。
【０００９】
上記構成において、前記位置決め受け部はピンであり、前記位置決め部は前記ピンが嵌合する位置決め用穴である。
【００１０】
上記構成において、前記位置決め用穴が前記端子台のねじ取付用穴を兼用している。
【００１１】
上記構成において、前記位置決め部は突起であり、前記位置決め受け部は前記突起が嵌合する凹部である。
【００１３】
上記構成において、前記速結端子および前記刃形端子は１枚の導電板に略直線状に一体形成されている。
【発明の効果】
【００１４】
この発明の端子台によれば、刃形端子をコネクタに接続する前に位置決め部により被取付体に位置決めされるので、例えば電源端子台をコネクタに確実に位置ずれなく容易に接続することができ、接触信頼性が向上する。
【００１５】
取付部により被取付体に電源端子台を固定する際に既に位置決めされているため、再位置合わせが不要となる。これにより、再位置合わせ時に電源端子台を動かすことによりコネクタのはんだ付け部に負荷がかかるのを防止することができる。
【００１６】
位置決め用穴がねじ取付用穴を兼用すると、電源端子台の使われ方により位置決めが不要なときは位置決め用穴を裏面側からの取付けに使用できるので、使い勝手が向上する。
【００１７】
速結端子および刃形端子が略直線上に導電板に一体形成されているため、電源端子台の取付時だけでなく、電源線の結線作業時にも刃形端子に対して、横方向の外力が加わるおそれがなく、刃形端子を介してコネクタの半田付け部へ負荷がかかることを防止できる。また材料歩留りが向上するという効果もある。
【発明を実施するための最良の形態】
【００１８】
この発明の第１の実施の形態の電源端子台を図１から図９により説明する。すなわち、この電源端子台は位置決め部５０を設けたハウジング１に速結端子２を収納している。
【００１９】
ハウジング１は樹脂製のボディ３と樹脂製のカバー４からなる。ボディ３は底浅の箱形であり、周囲は前端壁５、後端壁６および両側壁７、８からなっており、底部の外面が取付面３ａとなっている。後端壁６および両側壁７、８は同じ高さであるが、前端壁５はそれらよりも高くかつ他の壁と同じ高さに外方に張り出す段部９を形成し、段部９の先端からさらに支持壁１０を立設している。ボディ３内には前端壁５と後端壁６との間をつなぐように複数条例えば４条の隔壁１１を設けて隔壁１１および側壁７、８との間に形成される溝のうち中央の溝を除く４条を端子収納溝１２としている。これらの端子収納溝１２内に位置するように支持壁１０に端子支持用のスリット１３を形成している。また一側壁８の前端壁５寄りに前端壁５の幅を狭くする凹部１４を形成している。さらに両側壁７、８にそれぞれ連結部となるカバー取付け爪１５を突設している。
【００２０】
カバー４はボディ３に冠合する相似形状をなしており、前端壁５の前面には被さらないで前方に張り出す端子押さえ片１６を設けている。カバー４の両側壁７、８にカバー取付け爪１５を嵌合させる連結受け部となる連結孔４６を形成するとともに取付け部１７をカバー４の開口端よりも上方に位置して外方に張り出している。１８はねじ挿通穴、１９は凸部であり、ねじ挿通穴１８の径とこれに挿通するねじの径との差による電源端子台の取付部１７での位置ずれを防止する位置決めに用いる。これは電線を速結端子２に差し込んだり抜き出す場合に加わる外力によって電源端子台が動くのを確実に防止し、後述の刃形端子３６の差し込み時のおよび差し込み状態でのねじれ等の変形を防止することを目的としている。
【００２１】
カバー４の上面は前端から後端にかけて波形に形成している。波形の山は２つであり、各山の傾斜面２０〜２３のうち端子押さえ片１６に向いた傾斜面２０、２２にそれぞれ電線挿入穴２４ａ〜２４ｄ、２５ａ〜２５ｄを形成している。これらの電線挿入穴２４ａ〜２４ｄ、２５ａ〜２５ｄはボディ３の４個の端子収納溝１２に対向するように形成されている。この場合、電線挿入穴２４ｃ、２４ｄの間および電線挿入穴２５ｃ、２５ｄに識別用突起２６を設けている。識別用突起２６は端に位置する電線挿入穴２４ｄ、２５ｄがアース端子用であることを示し、電源端子用の電線挿入穴２４ａ〜２４ｃおよび２５ａ〜２５ｃとの識別を容易にしている。カバー４の他の傾斜面２１、２３はボディ３の相隣接する端子収納溝１２にまたがるように電線解除部２８が一体形成されている。各電線解除部２８は相隣接する端子収納溝１２に収納される速結端子２の電線を同時に解除するものである。
【００２２】
速結端子２は、各端子収納溝１２に収納される細長の導電板３０により形成されている。ボディ３の両側の端子収納溝１２に収納される導電板３０はそれぞれ互いに反対側で側壁７、８に近い側部に、カバー４の各波形の山に対応して２個の端子部３１を立ち上げている。端子部３１には鎖錠片３２、電線接続部３３および電線接触部３４が形成されている。鎖錠片３２と電線接続部３３の間の電線挿入部分は電線挿入穴２４ａ、２４ｄ、２５ａ、２５ｄに対向するように傾斜しており、カバー４の電線解除部２８のある傾斜面２１、２３の内側に位置している。したがって、電線挿入穴２４ａ、２４ｄ、２５ａ、２５ｄより電線を挿入すると電線の先端が鎖錠片３２と電線接続部３３との間に挿入され、電線接触部３４に接触した状態で結線状態となる。またその状態で電線解除部２８を押すと鎖錠片３２が押圧されて鎖錠片３２の電線への食い込みが解除され、電線を引き抜くことができる。
【００２３】
また、導電板３０のボディ３の前端壁５側に収納される一端部の側部より刃形端子３６が立ち上がるように折り曲げられている。刃形端子３６と速結端子２とは薄板である導電板３０をつなぎ部として略一直線状に並んで設けられている。しかも各導電板３０はそれぞれ同じ側部より同じ方向に折曲されて立ち上げて、材料ロスを低減している。図５（ｂ）は導電板の展開状態で、板材の打ち抜き状態であり、破線は折曲線である。刃形端子３６は導電板３０の前端より逆Ｌ字形に前方に延出している。導電板３０を端子収納溝１２に収納した状態で刃形端子３６は支持壁１０のスリット１３に挿通され、これに位置決めおよび変形防止されている。また刃形端子３６の先端部には縦長のリブ３７を形成し、リブ３７の下端は刃形端子３６の下端すなわち差し込み端よりも若干上側すなわち後端寄りに位置し、上端は刃形端子３６の上端（後端）まで延びている。
【００２４】
速結端子２と刃形端子３６は導電板３０の同じ側部より立ち上げており、４つ並んだ導電板３０のうちの１つおきの導電板３０は、導電板３０の同じ側部より端子部３１および刃形端子３６を立ち上げ、隣合う導電板３０の端子部３１および刃形端子３６は導電板３０の反対側の側部より立ち上げて対称な形状となっている。速結端子２のうち凹部１４に隣接する端子収納溝１２に収納されたものはアース用であり、他は電源用または送り用である。
【００２５】
さらに速結端子２のアース用端子は導電板３０にアース端子３８を折曲し、ボディ７の底部に形成したスリット３９より取付面３ａの外部に突出し、ボディ７を金属製の後述の取付板５５に取付ける際に、取付板５５に形成したアース端子接触部となるアース用穴に挿入され圧接接続される。
【００２６】
この電源端子台の組立は、ボディ３内に速結端子２を収納し刃形端子３６をスリット１３に通し、アース端子３８をスリット３９に通してカバー４をボディ３に閉じることにより行われる。このときカバー４の端子押さえ片１６の下面は刃形端子３６の上端に当接している。
【００２７】
電源端子台は被取付体となる例えば器体の金属製の取付板５５に設けたプリント基板のコネクタ４０に接続するように取付板５５に取付けられる。位置決め部５０はボディ３の前後端部寄りの略中央にそれぞれ形成している。位置決め部５０は穴により形成し、取付板５５の位置決め受け部５６は穴に嵌合するピンにより形成している。コネクタ４０の受け部（受け刃）４１に刃形端子３６を差し込み前に位置決め受け部５６に位置決め部５０が嵌合開始し、電源端子台を取付板５５に位置決めする。位置決めされながら、刃形端子３６をコネクタ４０の受け部４１に差し込みボディ３の取付面３ａを取付板５５に置き、刃形端子３６の圧接接続後に取付部１７のねじ挿通孔１８を通して取付板５５の台状の取付受け部のねじ孔にねじを締めつけて固定する。このとき、カバー４の端子押さえ片１６を押すことで確実に刃形端子３６を受け部４１に差し込むことができる。凸部１９に対応して取付板５５に側壁が設けられ側壁に凸部１９を位置決めする凹部（図示せず）を形成している。
【００２８】
このように、コネクタ４０に刃形端子３６が差し込まれるより早く位置決めピンが電源端子台の穴に嵌合して位置が定まるため、コネタク通電部に横ずれ荷重が生じない。
【００２９】
なお、位置決め部５０の穴は使い方によって位置決め不要のときに例えばねじ取付用穴として使用することができる。この場合、穴に雌ねじを形成しておくかあるいはタッピングにより雌ねじを形成することができる。
【００３０】
図６から図９は誘導灯照明器具を示している。６５は誘導灯照明器具の天井または壁取付け可能な器体、６６はプリント基板６６ａに実装された回路ブロック、６７は壁取付け時の取付孔、６８は電線挿通孔である。電線は径が大きくなるほど曲げ加工が行いにくくなるが、電線挿入穴を斜めに形成することにより、差し込み容易になる。７７はコネクタ４０または取付板５５に設けられ電源端子台の前端側部に位置した、凸部１９が位置決め嵌合する凹部を有する側壁である。
【００３１】
この発明の第２の実施の形態を図１０により説明する。第１の実施の形態において、位置決め部５０として突起を設け、位置決め受け部５６としてピンが嵌合する凹部５９を設けるものである。この場合、取付部１７が位置決め部５０を兼用し、位置決め受け部５６として取付受け部５８にガイド６０を突設することにより取付受け部５８の上面に凹部５９を形成している。刃形端子３６が受け部４１に差し込まれるよりも早く位置決め部５０が凹部５９に嵌合して位置決めされ、刃形端子３６が受け部４１に差し込まれたときは取付部１７が取付受け部５８に載った状態となり、そのまま取付ねじを取付部１７のねじ挿通孔１８を通して取付受け部５８のねじ孔に締めつけることができるので、コネクタ４０のはんだ部への負荷が低減できる。
【００３２】
なお、この実施の形態の変形例として位置決め部５０が取付面３ａに突設したピンで、位置決め受け部５６が取付板５５に形成した穴でもよい。
【００３３】
この発明の第３の実施の形態を図１１から図１３により説明する。第１の実施の形態において、カバー４の端子押さえ片１６の前端および両側よりコネクタ４０の外側面に被さる位置決め用の覆い部６２を一体に垂下して端子押さえ片１６とともに箱形カバーを形成し、ボディ３の支持壁１０と覆い部６２でコネクタ４０に嵌合する。コネクタ４０が位置決め受け部５６となる。これにより、刃形端子３６が受け部に差し込まれる前に覆い部６２がコネクタ４０に嵌合開始し、電源端子台を位置決めする。また覆い部６２で刃形端子３６およびコネクタ４０の絶縁カバーを兼ねることができる。
【図面の簡単な説明】
【００３４】
【図１】この発明の第１の実施の形態の電源端子台の取付け前の状態の要部断面図である。
【図２】電源端子台を下方からみた斜視図である。
【図３】電源端子台の斜視図である。
【図４】分解斜視図である。
【図５】（ａ）は導電板の斜視図、（ｂ）は導電板の展開状態の平面図である。
【図６】誘導灯照明器具の外観斜視図である。
【図７】器体の蓋を開いた状態の断面図である。
【図８】平面図である。
【図９】回路ブロックと電源端子台とを示す部分斜視図である。
【図１０】第２の実施の形態の電源端子台の取付け状態の斜視図である。
【図１１】第３の実施の形態の斜視図である。
【図１２】下方からみた斜視図である。
【図１３】差し込み前の部分断面側面図である。
【符号の説明】
【００３５】
１    ハウジング
２    速結端子
３    ボディ
４    カバー
１７    取付部
２４ａ〜２４ｄ  電線挿入穴
２５ａ〜２５ｄ  電線挿入穴
３６    刃形端子
５０    位置決め部
５５    取付板
５６    位置決め受け部
５８    取付受け部
５９    凹部
６２    覆い部
【図１】
0004644080.tif 000002
【図２】
0004644080.tif 000003
【図３】
0004644080.tif 000004
【図４】
0004644080.tif 000005
【図５】
0004644080.tif 000006
【図６】
0004644080.tif 000007
【図７】
0004644080.tif 000008
【図８】
0004644080.tif 000009
【図９】
0004644080.tif 000010
【図１０】
0004644080.tif 000011
【図１１】
0004644080.tif 000012
【図１２】
0004644080.tif 000013
【図１３】
0004644080.tif 000014